(57)【要約】【課題】エアゾール容器Ａの上端に噴射ヘッドＢを押し下げ可能に嵌着したエアゾール式液噴出器であって、収納液が無くなった後の残存ガスを簡単に排出することができ、構造が簡単で安価に製造できるエアゾール式液噴出器を提案する。【解決手段】エアゾール容器Ａの上面中央に立設した環状突部４に嵌着したカバー枠Ｃを設け、該カバー枠Ｃのフランジ状の頂板21の内周縁部を起伏可能な半環状の係止帯24に形成し、該係止帯24を起立させて噴射ヘッドＢに係止することにより、噴射ヘッドＢの押し下げ噴射状態を維持する如く構成した。【選択図】図１
2007168860.tif 000002
【特許請求の範囲】
【請求項１】
上面中央部より上方付勢状態で押し下げ可能にステム５を突出したエアゾール容器Ａと、ステム５に下端の導入口を嵌合させて押し下げ可能に装着するとともに、導入口に連通する噴射口12を備えた噴射ヘッドＢと、ステム５周囲のエアゾール容器Ａ上に嵌合係止するとともに、中央窓孔23より噴射ヘッドＢを押し下げ可能に突出したカバー枠Ｃとを備え、該カバー枠Ｃの頂板21内周縁部を起伏可能な半環状の係止帯24に形成し、該係止帯24を回動起立させて噴射ヘッドＢに係止することにより、噴射ヘッドＢの押し下げ噴射状態を維持する如く構成したことを特徴とするエアゾール式液噴出器。
【請求項２】
前記係止帯24を回動起立させて前記噴射ヘッドＢ上面に係止させることにより、前記噴射ヘッドＢの押し下げ噴射状態を維持する如く構成してなる請求項１記載のエアゾール式液噴出器。
【請求項３】
前記噴射ヘッドＢの周壁11外面所定位置に形成した上向き段部13上に、周壁11と間隔をあけて係止片14を立設し、前記係止帯24を回動起立させて係止片14と周壁11外面との間に乗り越え係合させることにより、前記噴射ヘッドＢの押し下げ噴射状態を維持する如く構成してなる請求項１に記載のエアゾール式液噴出器。
【請求項４】
前記噴射ヘッドＢとカバー枠Ｃとを、噴射ヘッドＢがステム５に、カバー枠Ｃが環状突部４に、それぞれ嵌着される位置関係で一体に、且つ、切り離し可能に形成してなる請求項１乃至請求項３のいずれかに記載のエアゾール式液噴出器。
【発明の詳細な説明】
【技術分野】
【０００１】
本発明はエアゾール式液噴出器に関する。
【背景技術】
【０００２】
エアゾール容器に装着されている肩カバーにより、噴射ヘッドを、噴射位置に拘束可能に構成したエアゾール容器が提案されている。（例えば特許文献１参照）
【０００３】
上記特許文献１に記載されているエアゾール容器は、円筒状のエアゾール容器の頭部から突出するばね付勢状態のバルブステムに基端部で嵌着する噴射ボタンが、エアゾール容器上部に装着されている肩カバーにより、噴射位置に拘束可能に構成している。
【０００４】
その構造を詳述すれば、肩カバーは、エアゾール容器の肩部をカバーする外周面部と、その上端に形成され、かつバルブステムを中心とする環状の上面周辺部とを備えている。また、バルブステムに対して噴射ボタンの周面部の少なくとも両側２箇所に、爪が外側方へ向けて突設されている。更に、前記上面周辺部には、噴射ボタンの押下げ操作に応動する爪の上下動をガイドするように、上下方向へ形成されたガイド溝と、バルブステムを中心とする回転方向への爪上面の滑動をガイドするように、ガイド溝の側面部の下端から回転方向に沿って円弧状に形成されたガイド面部と、バルブステムのばね付勢により上動した爪を噴射位置に拘束するように、ガイド面部の回転方向の終端に連続して上方へ向けて形成され、かつ上端に爪を当接させる当接面部を有する爪拘束溝とが形成されている。
【特許文献１】特開２００４−１８８３７３号公報
【発明の開示】
【発明が解決しようとする課題】
【０００５】
上記従来のエアゾール容器は、噴射ボタンを回転させる操作だけで、ガス抜き、手離し噴射或いは全量噴射を行わせるための連続噴射が可能になる。従って、収納液を使い切った後の残ガスを容易に排出できるという利点がある。しかしながら、このエアゾール容器は、この様な作用，効果を達成するために、上記した如き複雑なガイド溝や爪拘束溝を肩カバーに設けなくてはならず、煩雑な構造となる。また、噴射ボタンにも爪を形成しなければならないため、既存の噴射ボタンを使用することができないという不便もある。
【０００６】
本発明は上記した点に鑑みてなされたもので、収納液使用後の残ガスの排出を容易に行うことができるとともに、構造が簡単で、既存のエアゾール容器，噴射ヘッドを使用することができるため、安価に製造でき、また、取り扱い操作も簡単なエアゾール式液噴出器を提案する。
【課題を解決するための手段】
【０００７】
本発明のエアゾール式液噴出器は、エアゾール容器と、噴射ヘッドと、カバー枠とを備えている。
【０００８】
エアゾール容器は、上面中央部より上方付勢状態で押し下げ可能にステムを突出し、ステムの押し込みにより内蔵吐出弁が開弁してガス圧により収納液をステムより噴出する如く構成した公知の噴出機構を備えたものが使用される。また、エアゾール容器は、カバー枠を嵌合係止させるために、上面中央部所定位置に環状突部を立設したものが好ましく使用できる。
【０００９】
噴射ヘッドは合成樹脂等により形成したもので、エアゾール容器のステムに下端の導入口を嵌合させて押し下げ可能に装着し、側面又は上面に噴射口を開口し、内部に導入口から噴射口に到る流路を備えている。
【００１０】
カバー枠は合成樹脂等により形成したもので、ステム周囲のエアゾール容器上に嵌合係止するとともに、中央窓孔より押し下げ可能に噴射ヘッドを突出する如く構成したもので、本発明では、エアゾール容器の装飾性の付与、また、エアゾール容器上面のカシメ部分等を被覆することによる安全性の付与、などの従来のこの種のエアゾール式噴出器に於けるカバー枠の機能に加えて、ガス抜きの際に利用できる。カバー枠のエアゾール容器への嵌合係止は、例えば、エアゾール容器上面に立設した環状突部外周或いはエアゾール容器上端部外周に嵌合筒を嵌合させて、螺合或いは突条相互の乗り越え係合等の係止手段により係止させることができる。
【００１１】
カバー枠は、その頂板の内周縁部を起伏可能な半環状の係止帯に形成し、この係止帯を起立させて噴射ヘッドに係止することにより、噴射ヘッドの押し下げ噴射状態を維持する如く構成している。換言すれば、噴射状態に押し下げた噴射ヘッドに、回動起立させた係止帯を係合して、噴射ヘッドの噴射状態を維持させる。係止帯による噴射ヘッドの係止形態としては、噴射ヘッドの頂部上に掛け渡す形態、或いは噴射ヘッドに係止帯を係止するための係止部を設ける形態を採ることができる。
【００１２】
噴射ヘッドの頂部上に掛け渡す場合には、噴射状態に押し下げた噴射ヘッド頂部上に回動可能であり、しかもその状態で噴射ヘッドの上昇を押さえる如く当接するように、係止帯及び噴射ヘッドの形状，大きさ等を選択する。
【００１３】
係止部は噴射ヘッドの側部に上向き段部，突起，凹部，係止孔などの形態で形成したもので、この場合噴射ヘッド上面に係止させる場合と比較して、係止帯の大きさが小さいものであっても充分機能するという利点があるが、反面既存の噴射ヘッドを使用できない不利もある。また、係止帯の外れをより確実に防止する上で、噴射ヘッド周壁との間に隙間を設けた係止片を立設するとよい。さらに、前記係止片を撓み変形可能に形成することにより、係止帯の噴射ヘッドへの取り付けが容易となる。
【００１４】
係止帯の具体的形状は、上記要件を満たせば種々採用できるが、一般的には円弧帯状のものが好ましく使用でき、その他多角形状の一部の形状をなす帯状のものなどが使用できる。係止帯の両側基端部は薄肉のヒンジで回動可能に連結しても、別体に形成して回動可能に軸着する等してもよいが、コスト面等を考慮すれば薄肉ヒンジを介して一体に形成するのが好ましい。また、コスト面を更に考慮すれば、カバー枠と噴射ヘッドとを合成樹脂により一体に形成すると良い。この場合、それぞれをエアゾール容器に装着した状態の位置関係で連結すると良い。カバー枠と噴射ヘッドを一体成形することにより、開封明示機能を備えることができる。
【００１５】
第１の手段として、上面中央部より上方付勢状態で押し下げ可能にステム５を突出したエアゾール容器Ａと、ステム５に下端の導入口を嵌合させて押し下げ可能に装着するとともに、導入口に連通する噴射口12を備えた噴射ヘッドＢと、ステム５周囲のエアゾール容器Ａ上に嵌合係止するとともに、中央窓孔23より噴射ヘッドＢを押し下げ可能に突出したカバー枠Ｃとを備え、該カバー枠Ｃの頂板21内周縁部を起伏可能な半環状の係止帯24に形成し、該係止帯24を回動起立させて噴射ヘッドＢに係止することにより、噴射ヘッドＢの押し下げ噴射状態を維持する如く構成した。
【００１６】
第２の手段として、前記第１の手段に於いて、前記係止帯24を回動起立させて前記噴射ヘッドＢ上面に係止させることにより、前記噴射ヘッドＢの押し下げ噴射状態を維持する如く構成した。
【００１７】
第３の手段として、前記第１の手段に於いて、前記噴射ヘッドＢの周壁11外面所定位置に形成した上向き段部13上に、周壁11と間隔をあけて係止片14を立設し、前記係止帯24を回動起立させて係止片14と周壁11外面との間に乗り越え係合させることにより、前記噴射ヘッドＢの押し下げ噴射状態を維持する如く構成した。
【００１８】
第４の手段として、前記第１手段乃至第３の手段のいずれかの手段に於いて、前記噴射ヘッドＢとカバー枠Ｃとを、噴射ヘッドＢがステム５に、カバー枠Ｃが環状突部４に、それぞれ嵌着される位置関係で一体に、且つ、切り離し可能に形成した。
【発明の効果】
【００１９】
本発明のエアゾール式液噴射器は、カバー枠Ｃの係止帯24を起立させて噴射ヘッドＢに係止することにより、噴射ヘッドＢの押し下げ噴射状態を維持する如く構成しているため、そのガス抜き操作は極めて簡単であり、取り扱いが便利である。また、既存のエアゾール容器，噴射ヘッドを利用できるため、製造も容易であり、安価に得られる利点もある。また、カバー枠Ｃの構造も簡単であり、その点からも製造が容易で安価に得られる。
【００２０】
前記係止帯24を回動起立させて前記噴射ヘッドＢ上面に係止させることにより、前記噴射ヘッドＢの押し下げ噴射状態を維持する如く構成した場合には、既存のエアゾール容器Ａ及び噴射ヘッドＢを利用でき、また、係止帯24も噴射ヘッドＢ上に回動起立させるという極めて簡単な操作でガス抜きを行える。
【００２１】
前記噴射ヘッドＢの周壁11外面所定位置に形成した上向き段部13上に、周壁11と間隔をあけて係止片14を立設し、前記係止帯24を回動起立させて係止片14と周壁11外面との間に乗り越え係合させることにより、前記噴射ヘッドＢの押し下げ噴射状態を維持する如く構成した場合には、係止帯24の係止が確実に行われてガス抜き操作中に外れる等の不都合がなく、また、係止帯24の起立高さが小さくて済むため、エアゾール容器Ａや噴射ヘッドＢの大きさや径等に制約が少なくなる。
【００２２】
前記噴射ヘッドＢとカバー枠Ｃとを、噴射ヘッドＢがステム５に、カバー枠Ｃが環状突部４に、それぞれ嵌着される位置関係で一体に、且つ、切り離し可能に形成した場合には、噴射ヘッドＢとカバー枠Ｃがエアゾール容器Ａへの装着時にかならず揃っているため、組み付け操作を効率よく行える。また、カバー枠Ｃはエアゾール容器Ａに抜け出しが困難に嵌着されており、使用に当たり、カバー枠Ｃから噴射ヘッドＢを切り離して使用するため、未使用状態を容易に確認できる。
【発明を実施するための最良の形態】
【００２３】
以下、本発明の実施例の形態を図面を参照して説明する。
【００２４】
図１乃至図３は本発明エアゾール式液噴出器の一例を示し、該エアゾール式液噴出器１は、エアゾール容器Ａと、噴射ヘッドＢと、カバー枠Ｃとを備えている。
【００２５】
エアゾール容器Ａは、胴部２の上部に肩部３を介して環状突部４を立設し、環状突部４内の上面中央部より上方付勢状態で押し下げ可能にステム５を突出し、該ステム５の押し込みにより内蔵吐出弁（図示せず）が開弁してガス圧によりエアゾール容器Ａ内の収納液をステム５より噴出する如く構成した公知の噴出機構を備えたものである。また、環状突部４外周下部には下向き段部６を周設している。
【００２６】
噴射ヘッドＢは、合成樹脂により形成され、ステム５に嵌着してその押し下げ及び液の噴射を行うためのもので、ステム５に下端の導入口を密嵌させた縦筒（図示せず）を頂壁10裏面中央より垂設するとともに、頂壁10周縁部より周壁11を垂設した筒状をなし、縦筒上部に基端を開口したノズル筒（図示せず）を側方へ延設し、その先端を周壁11部分に噴射口12として開口し、ステム５からの液を縦筒及びノズル筒内を通して噴射口12から噴射する如く構成している。
【００２７】
カバー枠Ｃも合成樹脂により形成され、前記環状突部４外周に嵌着した円筒状の嵌合筒20上端より内方へフランジ状の頂板21を延設している。嵌合筒20の内周下端部に突周設した係合突条22を環状突部４の下向き段部６下面に強制的に係合させて上方への抜け出しを防止している。更に、頂板21中央に設けた窓孔23より噴射ヘッドＢを押し下げ可能に突出している。
【００２８】
また、カバー枠Ｃは係止帯24を備えている。係止帯24は、カバー枠Ｃの頂板21後部の内周から所定幅の位置に切溝25を形成することにより円弧帯状に画成されたもので、左右の基端部分にはそれぞれ薄肉のヒンジ26を設けている。また、嵌合筒20の後部には上面を下方へ凹ませて、その部分から係止帯24に爪或いは指を掛けるための凹部27を形成している。この係止帯24の内側径は、噴射ヘッドＢを噴射可能な位置まで押し下げた際に、噴射ヘッドＢの上面に掛け渡し可能な内側径としている。
【００２９】
エアゾール式液噴出器１を使用する場合には、図１の状態から噴射ヘッドＢを押し下げると収納液が噴射口12から噴射する。収納液を使い切った際には、最初凹部27から爪を係止帯24に引っ掛けて回動起立させ、図２に示す如く、噴射可能な位置まで押し下げた噴射ヘッドＢ上面に係合させて噴射ヘッドＢの下降状態を維持する。その結果、残ガスが噴射口12より外部へ排出される。
【００３０】
図４乃至図６は他の例を示し、噴射ヘッドＢに係止帯24を係止する係止部を設けた例である。係止部は、噴射ヘッドＢの周壁11後部に設けた上向き段部13に、周壁11と間隔をあけて係止片14を立設して構成しており、係止帯24を回動起立させへて係止片14と周壁11外面との間に乗り越え係合させることにより、前記噴射ヘッドＢの押し下げ噴射状態を維持する如く構成している。この場合の係止帯24は図１の例と同様形態ではあるが、その長さが短く、従って、回動起立時の高さが図１の例より小さくなる。
【００３１】
また、本例の場合には易切断性の連結片30を介して、噴射ヘッドＢとカバー枠Ｃとを一体に形成している。この場合、図４に示す如く、カバー枠Ｃは環状突部４に嵌着しており、また、噴射ヘッドＢはその縦筒下端の導入口をステム５の上端に嵌着した状態である。その他の構成は図１の例と同様であるため、同符号を付して説明を省略する。
【００３２】
この場合のエアゾール式液噴出器１は、例えば図４の或いは図５の状態から強制的に噴射ヘッドＢを押し下げることにより連結片30の接続部分を切断して使用する。また、ガス抜きに当たり、同様に最初凹部27から爪を係止帯24に引っ掛けて回動起立させ、図６に示す如く、噴射可能な位置まで押し下げた噴射ヘッドＢの係止片14を強制的に乗り越えて周壁11との間に係合させ、噴射ヘッドＢの下降状態を維持する。その結果、残ガスが噴射口12より外部へ排出される。
【図面の簡単な説明】
【００３３】
【図１】本発明噴出器の一部を切り欠いた側面図である。（実施例１）
【図２】本発明噴出器の斜め後方からの斜視図である。（実施例１）
【図３】本発明噴出器のガス抜き状態を示す斜視図である。（実施例１）
【図４】本発明噴出器の一部を切り欠いた側面図である。（実施例２）
【図５】本発明噴出器の斜め後方からの斜視図である。（実施例２）
【図６】本発明噴出器のガス抜き状態を示す斜視図である。（実施例２）
【符号の説明】
【００３４】
Ａ…エアゾール容器，４…環状突部，５…ステム，
Ｂ…噴射ヘッド，12…噴射口，13…上向き段部，14…係止片，
Ｃ…カバー枠，20…嵌合筒，21…頂板，23…窓孔，24…係止帯，
【図１】
2007168860.tif 000003
【図２】
2007168860.tif 000004
【図３】
2007168860.tif 000005
【図４】
2007168860.tif 000006
【図５】
2007168860.tif 000007
【図６】
2007168860.tif 000008